(57)【要約】【課題】姿勢を抜本的に矯正し、また肩などの負荷がかかると困る部分には負荷をかけない肋骨矯正ベルトを提供する。【解決手段】少なくともＶ字型部を含む背当部と、背当部のＶ字型部の両先端部を接続する上側接続部と、背当部のＶ字型部の左側中央下端部付近と右側中央下端部付近を接続する下側接続部と、を備え、人体に当該肋骨矯正ベルトを取り付けた場合に、背当部が、Ｖ字型部の中央下端部を下にして、少なくとも人体の第５胸椎を含む背中付近に当接し、背当部に含まれるＶ字型部と上側接続部により、人体の第５胸椎よりも上側にある１以上の胸椎にそれぞれ対応する１以上の肋骨付近を包囲し、少なくとも背当部に含まれるＶ字型部の中央下端部と下側接続部により、人体の第５胸椎よりも下側にある１以上の胸椎にそれぞれ対応する１以上の肋骨付近を包囲する。【選択図】図２
2018064652.tif 000002
【特許請求の範囲】
【請求項１】
少なくともＶ字型部を含む背当部と、
前記背当部のＶ字型部の両先端部を接続する上側接続部と、
前記背当部のＶ字型部の左側中央下端部付近と右側中央下端部付近を接続する下側接続部と、
を備え、
人体に当該肋骨矯正ベルトを取り付けた場合に、
前記背当部が、前記Ｖ字型部の中央下端部を下にして、少なくとも前記人体の第５胸椎を含む背中付近に当接し、
前記背当部に含まれる前記Ｖ字型部と前記上側接続部により、前記人体の前記第５胸椎よりも上側にある１以上の胸椎にそれぞれ対応する１以上の肋骨付近を包囲し、
少なくとも前記背当部に含まれる前記Ｖ字型部の前記中央下端部と前記下側接続部により、前記人体の前記第５胸椎よりも下側にある１以上の胸椎にそれぞれ対応する１以上の肋骨付近を包囲することを特徴とする肋骨矯正ベルト。
【請求項２】
請求項１に記載の肋骨矯正ベルトであって、
前記背当部の前記Ｖ字型部は、所定の頂角度のＶ字の形状を有するＶ字型側下辺部と、前記所定の頂角度よりも所定角度だけ少ない頂角度のＶ字型の形状を有するＶ字型側上辺部を有し、両先端部に向かうほど細くなる形状を有することを特徴とする肋骨矯正ベルト。
【請求項３】
請求項１又は２に記載の肋骨矯正ベルトであって、
前記背当部は、前記Ｖ字型部と平面的に見た場合に中央部が重なる逆Ｖ字型部を更に含み、
前記下側接続部は、前記背当部の前記逆Ｖ字型部の両先端部を接続し、
前記背当部に含まれる前記Ｖ字型部の前記中央下端部と前記逆Ｖ字型部と前記下側接続部により、前記人体の前記第５胸椎よりも下側にある１以上の胸椎にそれぞれ対応する１以上の肋骨付近を包囲することを特徴とする肋骨矯正ベルト。
【請求項４】
請求項３に記載の肋骨矯正ベルトであって、
前記背当部の前記逆Ｖ字型部は、所定の頂角度のＶ字の形状を有する逆Ｖ字型側上辺部と、前記所定の頂角度よりも所定角度だけ少ない頂角度のＶ字型の形状を有する逆Ｖ字型側下辺部を有し、両先端部に向かうほど細くなる形状を有することを特徴とする肋骨矯正ベルト。
【請求項５】
請求項１乃至４の何れか１項に記載の肋骨矯正ベルトであって、
前記上側接続部及び前記下側接続部の一方又は双方は、前記背当部と一体化され、又は、前記背当部に対して取り外し可能に接続できることを特徴とする肋骨矯正ベルト。
【請求項６】
請求項１乃至５の何れか１項に記載の肋骨矯正ベルトであって、
前記上側接続部及び前記下側接続部の一方又は双方は、長さが調整可能であることを特徴とする肋骨矯正ベルト。
【請求項７】
請求項１乃至６の何れか１項に記載の肋骨矯正ベルトであって、
前記下側接続部は、複数の部分に分割可能であることを特徴とする肋骨矯正ベルト。
【請求項８】
請求項１乃至７の何れか１項に記載の肋骨矯正ベルトであって、
前記背当部の人体の第５胸椎付近に当接する部分に補強用の部材が追加されていることを特徴とする肋骨矯正ベルト。
【発明の詳細な説明】
【技術分野】
【０００１】
本発明は、姿勢の矯正などをするために人体の肋骨付近に装着するために肋骨矯正ベルトに関する。
【背景技術】
【０００２】
姿勢を矯正するためのベルトとして種々のものがあるが、例えば、特許文献１には、背中側から両肩にたすき掛けしたベルトにより肩を後方に引くことにより、姿勢を矯正する姿勢矯正ベルトが開示されている。また、特許文献２には、背当て部、肩ベルト及び胸ベルトなどにより上半身を包囲し、姿勢を矯正する姿勢矯正ベルトが開示されている。
【先行技術文献】
【特許文献】
【０００３】
【特許文献１】特開２０１４−１５０８０９号公報
【特許文献１】特開２０１１−６２２４５号公報
【発明の概要】
【発明が解決しようとする課題】
【０００４】
しかし、特許文献１に開示されている姿勢矯正ベルトの場合、両肩を後方に引くことにより猫背を或る程度矯正する効果を奏するものの、背骨（特に、胸骨）に対しては殆ど作用を与えず、姿勢を抜本的に矯正することはできない。
【０００５】
また、特許文献２に開示されている姿勢矯正ベルトの場合、肩ベルトに相当な張力がかかり、これにより肩が不自然に上から押されるようになってしまい、肩こりの原因になりかねない。
【０００６】
そこで、本発明は、姿勢を抜本的に矯正し、また肩などの負荷がかかると困る部分には負荷をかけない肋骨矯正ベルトを提供することを目的とする。
【課題を解決するための手段】
【０００７】
本発明によれば、
少なくともＶ字型部を含む背当部と、
前記背当部のＶ字型部の両先端部を接続する上側接続部と、
前記背当部のＶ字型部の左側中央下端部付近と右側中央下端部付近を接続する下側接続部と、
を備え、
人体に当該肋骨矯正ベルトを取り付けた場合に、
前記背当部が、前記Ｖ字型部の中央下端部を下にして、少なくとも前記人体の第５胸椎を含む背中付近に当接し、
前記背当部に含まれる前記Ｖ字型部と前記上側接続部により、前記人体の前記第５胸椎よりも上側にある１以上の胸椎にそれぞれ対応する１以上の肋骨付近を包囲し、
少なくとも前記背当部に含まれる前記Ｖ字型部の前記中央下端部と前記下側接続部により、前記人体の前記第５胸椎よりも下側にある１以上の胸椎にそれぞれ対応する１以上の肋骨付近を包囲することを特徴とする肋骨矯正ベルトが提供される。
【発明の効果】
【０００８】
本発明によれば、姿勢を抜本的に矯正することができ、また、肩などの負荷がかかると困る部分には負荷をかけないようにすることができる。
【図面の簡単な説明】
【０００９】
【図１】本発明の実施形態による肋骨矯正ベルトの原理を説明するための模式図である。
【図２】本発明の第１の実施の形態による肋骨矯正ベルトの展開状態の平面図である。
【図３】本発明の第１の実施の形態による肋骨矯正ベルトの装着時の形態における内面を示す見取図である。
【図４】本発明の第１の実施の形態による肋骨矯正ベルトの装着時の形態における背面を示す見取図である。
【図５】本発明の第１の実施の形態による肋骨矯正ベルトを人体へ装着した状態を示す人体正面図である。
【図６】本発明の第１の実施の形態による肋骨矯正ベルトを人体へ装着した状態を示す人体背面図である。
【図７】本発明の第１の実施の形態による肋骨矯正ベルトを人体へ装着した状態を示す人体側面図である。
【図８】本発明の第２の実施の形態による肋骨矯正ベルトの展開状態の平面図である。
【図９】本発明の第２の実施の形態による肋骨矯正ベルトの装着時の形態における内面を示す見取図である。
【図１０】本発明の第２の実施の形態による肋骨矯正ベルトの装着時の形態における背面を示す見取図である。
【図１１】本発明の第２の実施の形態による肋骨矯正ベルトを人体へ装着した状態を示す人体正面図である。
【図１２】本発明の第２の実施の形態による肋骨矯正ベルトを人体へ装着した状態を示す人体背面図である。
【図１３】本発明の第２の実施の形態による肋骨矯正ベルトを人体へ装着した状態を示す人体側面図である。
【発明を実施するための形態】
【００１０】
以下、図面を参照して本発明を実施するための形態について詳細に説明する。
【００１１】
まず、本実施形態による肋骨矯正ベルトの原理について説明する。
【００１２】
図１は、人体３００において、第５胸椎３０１、第１乃至第４胸椎（「上部胸椎グループ」ということにする。）３０３、第６乃至第１０胸椎（「下部胸椎グループ」ということにする。）３０５、第１乃至第５肋骨（「上部肋骨グループ」ということにする。）３０７、第６乃至第１０肋骨（「下部肋骨グループ」ということにする。）３０９を模式的に示す。
【００１３】
上部肋骨グループ３０７に属する第１番乃至第５番の肋骨は、背骨から胸骨（図示せず。）までの間で一本ずつ分離しており、下部肋骨グループ３０９に属する第６番乃至第１０番の肋骨は途中から繋がっている。従って、胸骨と連動する上部肋骨グループ３０７と一部で肋骨が繋がっている下部肋骨グループ３０９は、相異なった動きをする。
【００１４】
胸椎は、上部肋骨グループ３０７に対応する上部胸椎グループ３０３と下部肋骨グループ３０９に対応する下部胸椎グループ３０５に分類することができるが、上部胸椎グループ３０３と下部胸椎グループ３０５との境界にある第５胸椎３０１を境として、クの字が開閉するような動きをする。
【００１５】
図１（ｂ）に示すように、人体の胸側に突出するような屈折部を持つクの字が胸骨３０１、３０３、３０５により形成され、上部胸椎グループ３０３に接続されている上部肋骨グループ３０７の肋骨が、前方に向かって斜め上を向き、下部胸椎グループ３０５に接続されている下部肋骨グループ３０９の肋骨が、前方に向かって斜め下を向くようになるのが、本来の正しい胸骨の並びの生理的曲線である。
【００１６】
上部肋骨グループ３０７の高さの位置には、肺（図示せず。）があり、下部肋骨グループ３０９の高さの位置には、横隔膜（図示せず。）がある。従って、上部肋骨グループ３０７は、空気を吸うことに対応し、下部肋骨グループ３０９は、空気を吐くことに対応する。そのような呼吸に合わせて肋軟骨は、形成されている。そして、肋軟骨は、胸骨に接続されている。これらは、肋骨の並びが本来の正しい生理的曲線を形成している時（つまり、図１（ｂ）に示すようなクの字が形成されている時）に正常に機能する。正常に機能していれば、吸う時には、肋軟骨とそれに接続されている上部肋骨グループ３０７の胸骨が上昇し、肋軟骨に接続されていない下部肋骨グループ３０９の肋骨が下降する。また、正常に機能していれば、横隔膜を上昇させることにより、息を吐くことができるが、わざわざ横隔膜を下げることにより息を吸う必要性は殆ど生じない。
【００１７】
しかし、重力の影響などにより、胸椎のクの字が正しく形成されず、人によっては、図１（ａ）に示すように、胸椎のクの字が逆に屈折したものになり（つまり、人体の背中側に突出するような屈折部を持つクの字が胸椎により形成され）、これにより、上部胸椎グループ３０３に接続されている上部肋骨グループ３０７の肋骨が、前方に向かって斜め下を向き、下部胸椎グループ３０５に接続されている下部肋骨グループ３０９の肋骨が、前方に向かって斜め上を向くようになってしまう。この状態では、第５番の肋骨と第６番の肋骨との隙間が非常に狭くなっている。つまり、正常ならば図１（ｂ）に示すように十分な空間３１１Ａが形成されるが、正常でないならば図１（ａ）に示すように狭い空間３１１Ｂしか形成されない。そのような場合、肺の容量が減り、また、横隔膜の動きが不十分となるので、人は呼吸を充分にすることができなくなってしまう。特に、肋軟骨とそれに接続されている胸骨により、充分に息を吸うことができなくなり、横隔膜により息を吸う腹式呼吸をせざるを得なくなる。このように腹式呼吸に頼ることは人体にとっては負荷が大きい。
【００１８】
そこで、本実施形態では、肋骨矯正ベルトにより、第５胸椎が後方から前方に移動するような力３２１を第５胸椎などにかけ、これにより、胸椎に図１（ｂ）に示すような正常時のクの字を形成させる。また、図１（ａ）におけるクの字の頂角よりも、図１（ｂ）におけるクの字の頂角が大きいならば頭部を上に持ち上げることができる。そうでなくても、頭が前方に垂れ下がるようなことがなくなる。
【００１９】
［第１の実施の形態］
次に、図２乃至７を参照して、第１の実施の形態による肋骨矯正ベルトの説明をする。
【００２０】
本実施形態による肋骨矯正ベルト１００は、
少なくともＶ字型部（１０１ａ）を含む背当部（１０１）と、
前記背当部（１０１）のＶ字型部（１０１ａ）の両先端部（１０１ｂ、１０１ｃ）を接続する上側接続部（１０３）と、
前記背当部（１０１）のＶ字型部（１０１ａ）の左側中央下端部（１０１ｄ）付近と右側中央下端部（１０１ｅ）付近を接続する下側接続部（１０５）と、
を備え、
人体（３００）に当該肋骨矯正ベルト（１００）を取り付けた場合に、
前記背当部（１０１）が、前記Ｖ字型部（１０１ａ）の中央下端部（１０１ｆ）を下にして、少なくとも前記人体の第５胸椎（３０１）を含む背中付近に当接し、
前記背当部（１０１）に含まれる前記Ｖ字型部（１０１ａ）と前記上側接続部（１０３）により、前記人体の前記第５胸椎（３０１）よりも上側にある１以上の胸椎にそれぞれ対応する１以上の肋骨（３０７）付近を包囲し、
前記背当部（１０１）に含まれる前記Ｖ字型部（１０１ａ）の前記中央下端部（１０１ｆ）と前記下側接続部（１０５）により、前記人体の前記第５胸椎よりも下側にある１以上の胸椎にそれぞれ対応する１以上の肋骨（３０９）付近を包囲する。
【００２１】
また、本実施形態による肋骨矯正ベルト１００では、
前記背当部（１０１）の前記Ｖ字型部（１０１ａ）は、所定の頂角度のＶ字の形状を有する下辺部（１０１ｇ）と、前記所定の頂角度よりも所定角度だけ少ない頂角度のＶ字型の形状を有する上辺部（１０１ｈ）を有し、両先端部（１０１ｂ、１０１ｃ）に向かうほど細くなる形状を有する。
【００２２】
更に、本実施形態による肋骨矯正ベルト１００では、
前記上側接続部（１０３）及び前記下側接続部（１０５）の双方は、前記背当部（１０１）に対して取り外し可能に接続できる。但し、前記上側接続部（１０３）及び前記下側接続部（１０５）の一方又は双方は、前記背当部（１０１）と一体化されていてもよい。
【００２３】
更に、本実施形態による肋骨矯正ベルト１００では、
前記上側接続部（１０３）及び前記下側接続部の双方は、長さが調整可能であるが、前記上側接続部（１０３）及び前記下側接続部（１０５）の一方又は双方は、長さが調整不可能であってもよい。
【００２４】
更に、本実施形態による肋骨矯正ベルト１００では、
前記下側接続部（１０５）は、複数（３つ）の部分に分割可能であるが、分割不可能であってもよい。
【００２５】
更に、本実施形態による肋骨矯正ベルト１００では、
前記背当部の人体の第５胸椎付近に当接する部分に補強用の部材（１０１ｒ）が追加されているが、追加されていなくてもよい。
【００２６】
第１の実施の形態による肋骨矯正ベルトによれば、下記の効果が奏される。
【００２７】
前記背当部（１０１）に含まれる前記Ｖ字型部（１０１ａ）と前記上側接続部（１０３）により、前記人体の前記第５胸椎（３０１）よりも上側にある１以上の胸椎にそれぞれ対応する１以上の肋骨（３０７）付近を包囲するので、これらにより、第５胸椎が後方から前方に移動するような力３２１を第５胸椎などにかけ、これにより、胸骨は、図１（ｂ）に示すようなクの字を形成するようになる。また、上部肋骨グループ３０７に対する拘束が解かれ、これにより、肋軟骨とそれに接続されている胸骨により、息を吸うことが容易になる。つまり、肋軟骨とそれに接続されている上部肋骨グループ３０７の胸骨が上昇することにより息を吸うことができるようになり、また、これにより、わざわざ横隔膜を下げることにより息を吸う必要性は殆ど生じなくなる。
【００２８】
また、前記背当部（１０１）に含まれる前記Ｖ字型部（１０１ａ）の前記中央下端部（１０１ｆ）と前記下側接続部（１０５）により、前記人体の前記第５胸椎よりも下側にある１以上の胸椎にそれぞれ対応する１以上の肋骨（３０９）付近を包囲するので、下部肋骨グループ３０９に属する肋骨が拡がらず、横隔膜が下がることが規制されるので、横隔膜を下げることにより息を吸う動き（腹式呼吸）を抑えることができる。
【００２９】
更に、前記背当部（１０１）に含まれる前記Ｖ字型部（１０１ａ）の前記中央下端部（１０１ｆ）と前記下側接続部（１０５）により、前記人体の前記第５胸椎よりも下側にある１以上の胸椎にそれぞれ対応する１以上の肋骨（３０９）付近を包囲するので、下部肋骨グループ３０９に属する肋骨が狭まるように作用し、横隔膜が上がることが補助されるので、横隔膜を上げることにより息を吐く動きを補助することができる。
【００３０】
なお、下側接続部（１０５）を肋軟骨の下端付近に高さを調整して取り付けるのが好ましい。
【００３１】
また、肋骨矯正ベルトは、図７に示すように、人体に装着されるので、装着状態においても、人は、動き易く、従って、デスクワーク、スポーツにも適する。特に、図７から明らかなように、腹部に非装着部が生じるので、体を前屈させる動きが規制されず、また、図５、図６から明らかなように、脇腹に非装着部が生じるので、身体を側面方向に曲げる動きが規制されない。更に、図５乃至図７から明らかなように、腹部と脇腹部に連通した非装着部が生じるので身体の捩じりも規制されない。
【００３２】
第１の実施の形態による肋骨矯正ベルトによれば、下記の効果が更に奏される。
・姿勢が改善される。従って、肩こり、腰痛が軽減する。
・体幹を作ることができる。
・呼吸を改善することができる。肺活量が上がったことと同様の効果を奏する。呼吸時に肋骨、胸骨、肋軟骨、横隔膜が人間本来の動きをするようになる。腹式呼吸を抑えることができるので、腹式呼吸による体に対する負担を軽減することができる。
・上側のベルトが斜め上方から第５胸椎を引くことになるので、第５胸椎を確実に引くことができるようになる。
・上側のベルトと下側のベルトとが、側腹部において、すでに分離しているので、動き易い。姿勢が変わっても、上側のベルトが第５胸椎を前に引く効果と、下側のベルトが下部肋骨グループに対して作用して、吸いにくく吐きやすいという効果を維持することができる。
・股関節が楽になる。
・肩を上げ易くなる。
・体幹が整うので、重い物を持ち易くなる。
・特に、女性の場合、肋間が開くのでバストアップすることができる。
【００３３】
[第２の実施の形態]
第２の実施の形態による肋骨矯正ベルトは、第１の実施の形態による肋骨矯正ベルトを変形したものである。
【００３４】
図８乃至１３を参照して、第２の実施の形態による肋骨矯正ベルトの説明をする。
【００３５】
本実施形態による肋骨矯正ベルト２００は、
少なくともＶ字型部（２０１ａ）を含む背当部（２０１）と、
前記背当部（２０１）のＶ字型部（２０１ａ）の両先端部（２０１ｂ、２０１ｃ）を接続する上側接続部（２０３）と、
前記背当部（２０１）のＶ字型部（２０１ａ）の左側中央下端部（２０１ｄ）付近と右側中央下端部（２０１ｅ）付近を接続する下側接続部（２０５）と、
を備え、
人体（３００）に当該肋骨矯正ベルト（２００）を取り付けた場合に、
前記背当部（２０１）が、前記Ｖ字型部（２０１ａ）の中央下端部（２０１ｆ）を下にして、少なくとも前記人体の第５胸椎（３０１）を含む背中付近に当接し、
前記背当部（２０１）に含まれる前記Ｖ字型部（２０１ａ）と前記上側接続部（２０３）により、前記人体の前記第５胸椎（３０１）よりも上側にある１以上の胸椎にそれぞれ対応する１以上の肋骨（３０７）付近を包囲し、
少なくとも前記背当部（２０１）に含まれる前記Ｖ字型部（２０１ａ）の前記中央下端部（２０１ｆ）と前記下側接続部（２０５）により、前記人体の前記第５胸椎よりも下側にある１以上の胸椎にそれぞれ対応する１以上の肋骨（３０９）付近を包囲する。
【００３６】
また、本実施形態による肋骨矯正ベルト２００では、
前記背当部（２０１）の前記Ｖ字型部（２０１ａ）は、所定の頂角度のＶ字の形状を有するＶ字型側下辺部（２０１ｇ）と、前記所定の頂角度よりも所定角度だけ少ない頂角度のＶ字型の形状を有するＶ字型側上辺部（２０１ｈ）を有し、両先端部（２０１ｂ、２０１ｃ）に向かうほど細くなる形状を有する。
【００３７】
更に、本実施形態による肋骨矯正ベルト２００では、
前記背当部（２０１）は、前記Ｖ字型部（２０１ａ）と平面的に見た場合に中央部が重なる逆Ｖ字型部（２０１ｊ）を更に含み、
前記下側接続部（２０５）は、前記背当部（２０１）の前記逆Ｖ字型部（２０１ｊ）の両先端部（２０１ｍ，２０１ｎ）を接続し、
前記背当部（２０１）に含まれる前記Ｖ字型部（２０１ａ）の前記中央下端部（２０１ｆ）と前記逆Ｖ字型部（２０１ｊ）と前記下側接続部（２０５）により、前記人体の前記第５胸椎よりも下側にある１以上の胸椎にそれぞれ対応する１以上の肋骨（３０９）付近を包囲する。
【００３８】
更に、本実施形態による肋骨矯正ベルト２００では、
前記背当部（２０１）の前記逆Ｖ字型部（２０１ｊ）は、所定の頂角度のＶ字の形状を有する逆Ｖ字型側上辺部（２０１ｐ）と、前記所定の頂角度よりも所定角度だけ少ない頂角度のＶ字型の形状を有する逆Ｖ字型側下辺部（２０１ｑ）を有し、両先端部（２０１ｍ，２０１ｎ）に向かうほど細くなる形状を有する。
【００３９】
更に、本実施形態による肋骨矯正ベルト２００では、
前記上側接続部（２０３）及び前記下側接続部（２０５）の双方は、前記背当部（２０１）に対して取り外し可能に接続できる。但し、前記上側接続部（２０３）及び前記下側接続部（２０５）の一方又は双方は、前記背当部（２０１）と一体化されていてもよい。
【００４０】
更に、本実施形態による肋骨矯正ベルト２００では、
前記上側接続部（２０３）及び前記下側接続部の双方は、長さが調整可能であるが、前記上側接続部（２０３）及び前記下側接続部（２０５）の一方又は双方は、長さが調整不可能であってもよい。
【００４１】
更に、本実施形態による肋骨矯正ベルト２００では、
前記下側接続部（２０５）は、複数の部分に分割可能であってもよい。
【００４２】
更に、本実施形態による肋骨矯正ベルト２００では、
前記背当部の人体の第５胸椎付近に当接する部分に補強用の部材（２０１ｒ）が追加されているが、追加されていなくてもよい。
【００４３】
第２の実施の形態による肋骨矯正ベルトによれば、第１の実施の形態による効果と同様な効果が奏される。
【００４４】
次に、肋骨矯正ベルトの身体への取付方法の説明をする。
・非装着者は、ベッドなどに横になる。
・背中の下に丸めたタオルなどを敷いて、背中のＳ字カーブを形成する。このとき、肋間が十分開くようにする。
・肩を回してから緩める。脚や、頭なども緩める。
・背当部を背中から両脇腹にかけて装着する。
・上側接続部の片端を背当部のＶ字の片端部付近に取り付けたならば、深呼吸をして、呼気が終了したならば、上側接続部の他端を背当部のＶ字の他端部付近にきつめに取り付ける。高さはアンダーバスト付近にする。
・下側接続部の片端を背当部のＶ字の片側中央下端部付近に取り付けたならば、もう一度、深呼吸をして、呼気が終了したならば、下側接続部の他端を背当部のＶ字の他方側中央下端部付近に緩め取り付ける。高さは肋軟骨の下端付近にする。
・更に、深呼吸をして、呼気が終了したならば、上側接続部を強く締めなおす。つまり、上側接続部の何れかの端部を背当部のＶ字のそれに対応する端部に本人の前方における背当部の両端部の間隔が狭くなるように付け直す。
・更に、深呼吸をして、呼気が終了したならば、下側接続部を強く締めなおす。つまり、下側接続部の何れかの端部を背当部のＶ字のそれに対応する側の中央下端部付近に本人の前方における背当部の両端部の間隔が狭くなるように付け直す。
【産業上の利用可能性】
【００４５】
本発明は、人体の姿勢を矯正するために利用することができる。
【符号の説明】
【００４６】
１００、２００  肋骨矯正ベルト
１０１、２０１  背当部
１０３、２０３  上側接続部
１０５、２０５  下側接続部
１０１ａ、２０１ａ  Ｖ字型部
２０１ｊ  逆Ｖ字型部
【図１】
2018064652.tif 000003
【図２】
2018064652.tif 000004
【図３】
2018064652.tif 000005
【図４】
2018064652.tif 000006
【図５】
2018064652.tif 000007
【図６】
2018064652.tif 000008
【図７】
2018064652.tif 000009
【図８】
2018064652.tif 000010
【図９】
2018064652.tif 000011
【図１０】
2018064652.tif 000012
【図１１】
2018064652.tif 000013
【図１２】
2018064652.tif 000014
【図１３】
2018064652.tif 000015